(57)【要約】      （修正有）【課題】NDフィルターを併用した露出制御を行う際に局所的に適正露出追従ができない照度領域が生じてしまうような露出制御を抑制する。【解決手段】絞り開口の大きさを変化させることにより光量を調節することができ、焦点距離に応じてその調節範囲が変化する第一の減光手段と、透過率を変化させることにより通過光量を調整することができ、その調節性能は第一の減光手段の調節分解能よりも粗い第二の減光手段と、撮影時の露出を適正にするために第一、第二の減光手段の動作を制御する制御手段と、を有し、制御手段は、第一の減光手段の光量調節可能範囲が第二の減光手段よりも広い場合は第一の減光手段及び第二の減光手段を用いて光量を調節し、狭い場合は第一の減光手段を用いて光量を調節する。【選択図】図１
2017009952.tif 000002
【特許請求の範囲】
【請求項１】
被写体像を結像させるための光学手段と、
前記光学手段の光軸上に存在し絞り開口の大きさを変化させることにより光量を調節することができ、焦点距離に応じてその調節範囲が変化する第一の減光手段と、
前記光学手段の光軸上に存在し透過率を変化させることにより通過光量を調整することができ、その調節性能は前記第一の減光手段の調節分解能よりも粗い第二の減光手段と、
撮影時の露出を適正にするために前記第一、第二の減光手段の動作を制御する制御手段と、を有し、
前記制御手段は、前記第一の減光手段の光量調節可能範囲が前記第二の減光手段のそれよりも広い場合は前記第一の減光手段及び前記第二の減光手段を用いて光量を調節し、前記第一の減光手段の光量調節可能範囲が前記第二の減光手段のそれよりも狭い場合は前記第一の減光手段を用いて光量を調節することを特徴とする撮像装置。
【請求項２】
前記制御手段は、予め決められたシャッタスピードで撮影するモードにおいてのみ前記制御を行うことを特徴とする請求項１に記載の撮像装置。
【請求項３】
前記制御手段は、予め決められたISO感度で撮影するモードにおいてのみ前記制御を行うことを特徴とする請求項２に記載の撮像装置。
【発明の詳細な説明】
【技術分野】
【０００１】
本発明は撮像装置、その制御方法及びプログラムに関し、特にNDフィルターの挿抜タイミングに関する。
【背景技術】
【０００２】
ビデオカメラやデジタルスチルカメラなどの、固体撮像素子を用いた撮像装置には、露出調節手段として、撮影レンズの絞り開口の開口面積を調節する手段、固体撮像素子の電子シャッタ速度及びメカニカルシャッタ速度を調節する手段、個体撮像素子から得られる画像信号のアンプゲインを調節する手段などが装備されている。
【０００３】
これらの露出調節手段はいずれも、画質を著しく劣化させることなく露出調節を行うことのできる露出範囲には限界がある。特に電子シャッタ速度や画像信号のアンプゲインの調節によって露出制御を行える範囲は、個体撮像素子が小型化するほど、またその画素数が増大するほど狭くなる。さらに、絞り開口の開口面積を調節する可変絞り機構では、非常に明るい被写体に対応するために絞り開口を絞って行くと、開口面積がある大きさまで減少したときに、回折による解像性能の劣化によって、画質が急速に低下しはじめる。
【０００４】
そのため、固体撮像素子を用いた撮像装置の中には上記の露出調節手段に加えて更に、撮影レンズの絞り開口にNDフィルタを挿抜させることで露出量を調節するようにした露出調節手段を併用したものがある。特に、可変絞り機構を用いた露出調節手段とNDフィルタを用いた露出調節手段とを併用した撮像装置に関する特許文献が数多く開示されている。
【０００５】
また、低価格帯のビデオカメラではコストを抑える為に光量を一定量減衰させるだけのNDフィルターを開閉することで露出調節を行う機構を備えたビデオカメラがある。この手の機構を備えたビデオカメラでは、NDフィルターは開閉するだけの二値でしか光量を調節できず、NDフィルターが開閉されたタイミングで通過する光量が大きく変化してしまうことが考えられる。
【０００６】
特許文献１に開示されている露出制御方法では、NDフィルタの全開状態と全閉状態との間の状態遷移を発生させる際に生じる露出変化量を相殺する大きさの露出変化量を撮影レンズの絞り、個体撮像素子の電子シャッタ速度、画像信号のアンプゲイン量のいずれかを制御して発生させることで、NDフィルターの開閉によって生じる光量変化の段差を吸収することができる。これによって、二値単位でしか光量を調節できないNDフィルターを備えたビデオカメラでも、NDフィルター機構も併用してより追従性能の高い露出制御が可能になる。
【０００７】
また、近年ではユーザが撮影時のシャッタ速度を指定して撮影するTv優先モード等があり、これらのモードは、シャッタ速度を長くして撮影することで水の流れを表現した撮影や、逆にシャッタ速度を高速にして撮影することで動いている被写体をブレなく撮影する場合に特に効果的である。
【０００８】
また、ユーザが撮影時のISO感度を指定して撮影できるモードがある。これらのモードは、ISO感度を低く設定して撮影することでノイズによる画質劣化を抑制した撮影や、逆にISO感度を高く設定して撮影することで低照度シーンでの露出追従性能を高くして撮影する場合に特に効果的である。
【先行技術文献】
【特許文献】
【０００９】
【特許文献１】特開２００５−４５６４８号公報
【発明の概要】
【発明が解決しようとする課題】
【００１０】
しかしながら、上記のようにユーザが撮影時のシャッタ速度及びISO感度を指定して撮影するモードでは、上記のようにNDフィルターの開閉に伴って生じる露出変化の段差を相殺する大きさの露出変化を撮影レンズの絞りを制御することでしか発生させることができない。また、一般的なズームレンズは、ズーム操作を行って焦点距離を望遠側に移動させるほど開放F値が暗くなっていくといった特徴がある。
【００１１】
上記ズームレンズの特徴から、ズーム操作によって開放F値が徐々に暗くなっていき、ある焦点距離になったタイミングで開放F値から小絞りF値間の露出変化量がNDフィルターを開閉した際に生じる露出変化段差よりも小さくなる場合がある。
【００１２】
この時、撮影レンズの絞り制御だけではNDフィルターを開閉した際に生じる露出変化段差を吸収することができず、局所的に適正露出追従できない照度領域が生じてしまうという問題がある。
【００１３】
本発明は、このような問題に鑑みてなされたものである。本発明の目的は、二値でしか光量調節できないNDフィルター機構を備えたデジタルカメラにおいて、NDフィルターを併用した露出制御を行う際に局所的に適正露出追従ができない照度領域が生じてしまうような露出制御を抑制することにある。
【課題を解決するための手段】
【００１４】
上記の目的を達成する為、本発明の撮像装置は以下の構成を備える。すなわち、被写体像を結像させるための光学手段と、前記光学手段の光軸上に存在し絞り開口の大きさを変化させることにより光量を調節することができ、焦点距離に応じてその調節範囲が変化する第一の減光手段と、前記光学手段の光軸上に存在し透過率を変化させることにより通過光量を調整することができ、その調節性能は前記第一の減光手段の調節分解能よりも粗い第二の減光手段と、撮影時の露出を適正にするために前記第一、第二の減光手段の動作を制御する制御手段と、を有し、前記制御手段は、前記第一の減光手段の光量調節可能範囲が前記第二の減光手段のそれよりも広い場合は前記第一の減光手段及び前記第二の減光手段を用いて光量を調節し、前記第一の減光手段の光量調節可能範囲が前記第二の減光手段のそれよりも狭い場合は前記第一の減光手段を用いて光量を調節することを特徴とする。
【発明の効果】
【００１５】
本発明に係る撮像装置よれば、NDフィルターを併用して露出制御を行う際に、局所的に適正露出追従ができない照度領域が生じてしまうような露出制御を抑制することが可能となる。
【図面の簡単な説明】
【００１６】
【図１】本発明の実施形態に係る撮像装置の一例としてのデジタルカメラの機能構成例を示すブロック図
【図２】(a)本発明の実施形態に係るプログラム線図の例、(b)本発明の実施形態に係るプログラム線図の例、(c)本発明の実施形態に係るプログラム線図の例
【図３】図１に示したデジタルカメラの、静止画記録モードにおける動作を説明するためのフローチャート
【図４】図１に示したデジタルカメラの、露出条件を決めるプログラム線図を選択する処理を説明するためのフローチャート
【発明を実施するための形態】
【００１７】
以下、本発明の例示的な実施形態について、図面を参照して詳細に説明する。尚、以下では、撮像装置の一例としての、NDフィルターによる露出制御機構を備えたデジタルカメラに本発明を適用した例を説明する。しかし、本発明はNDフィルターによる露出制御機構を備えた電子機器はもとより、NDフィルターに代わる露出制御機構を備えた電子機器にも適用可能である。これらの電子機器には、携帯電話機、ゲーム機、タブレット端末、パーソナルコンピュータなどが含まれるが、これらは単なる例示である。
【００１８】
［実施例１］
（１  撮像装置の構成）
図１は本実施形態の撮像装置１０の機能構成例を示すブロック図である。なお、図１に示す機能ブロックの１つ以上は、ＡＳＩＣやプログラマブルロジックアレイ（ＰＬＡ）などのハードウェアによって実現されてもよいし、ＣＰＵやＭＰＵ等のプログラマブルプロセッサがソフトウェアを実行することによって実現されてもよい。また、ソフトウェアとハードウェアの組み合わせによって実現されてもよい。従って、以下の説明において、異なる機能ブロックが動作主体として記載されている場合であっても、実際には同じハードウェアが主体として実現されうる。
【００１９】
図１において、撮影レンズ１０１は、ズーム機構を有し、被写体からの入射光を撮像面上に結像する光学系を構成する。NDフィルター１０２は、ＡＥ（Ａｕｔｏ  Ｅｘｐｏｓｕｒｅ）処理部１０５からの指示に従って入射光の光量を減衰させる。虹彩絞り１０３及びメカシャッタ１０４は、ＡＥ（Ａｕｔｏ  Ｅｘｐｏｓｕｒｅ）処理部１０５からの指示に従って入射光の撮像素子１０８への入射光量と電荷蓄積時間を制御する。撮像素子１０８は、受光面に結像した光学像をＣＣＤ素子或いはＣＭＯＳ素子等の光電変換処理によって電気信号に変換してＡ／Ｄ変換部１０９へ出力する。Ａ／Ｄ変換部１０９は、撮像素子１０８から出力された電気信号（アナログ信号）をデジタル信号に変換する。Ａ／Ｄ変換部１０９は、受信した電気信号からノイズを除去するＣＤＳ回路や、受信した電気信号をデジタル信号に変換する前に非線形増幅するための非線形増幅回路を含む。
【００２０】
ＡＥ処理部１０５は、システム制御部１１４からの指示に応じてNDフィルター１０２、虹彩絞り１０３及びメカシャッタ１０４の動作を制御して、露出状態を変更する。
【００２１】
フォーカスレンズ１０６は、ＡＦ（Ａｕｔｏ  Ｆｏｃｕｓ）処理部１０７からの制御信号にしたがって、撮像素子１０８の撮像面上に焦点を合わせて光学像を結像させる。
【００２２】
画像処理部１１０は、Ａ／Ｄ変換部１０９から出力されたデジタル信号に対して所定の画素補間や画像縮小等のリサイズ処理および色変換処理を行って、画像データを出力する。また、画像処理部１１０は、フォーマット変換部１１１を経由して画像記録部１１３からの画像データの読み込みおよび書き出しを行う。画像処理部１１０は、システム制御部１１４の指示に基づいて画像データを読み出して、顔検出処理及び認証処理を行う。本実施形態における認証処理は、認証用辞書データを用いてマッチング処理を行う認証処理がある。また、画像処理部１１０は、システム制御部１１４の指示に基づいて認証処理に成功した際に、認証に使用した辞書データを更新する。
【００２３】
フォーマット変換部１１１は、画像データをＤＲＡＭ１１２に記憶するために、画像処理部１１０おいて生成された画像データのフォーマット変換を行う。ＤＲＡＭ１１２は、高速な内蔵メモリの一例であり、画像データの一時的な記憶を司る高速バッファとして、あるいは、画像データの圧縮／伸張処理における作業用メモリ等として使用される。
【００２４】
画像記録部１１３は、撮影画像（静止画、動画）を記録するメモリーカード等の記録媒体とそのインターフェースを有し、記録媒体および記録媒体にデータを読み書きするための回路を備えている。
【００２５】
システム制御部１１４は、ＣＰＵ、ＲＯＭ、ＲＡＭを有し、ＣＰＵがＲＯＭに格納されたプログラムをＲＡＭの作業エリアに展開し、実行することにより、撮像装置の全体的な動作制御を行う。１回の露光に対応した画像データを得るための各機能部の制御に加え、撮影条件の異なる複数回の露光に対応した画像データを取得するためのＡＥ処理部１０５の制御やストロボ１１８の光量を制御する。また、撮像素子１０８の有する複数の撮像駆動モードから使用するモードの制御を行う。ＶＲＡＭ１１５は画像表示用のメモリである。
【００２６】
表示部１１６は、例えば、ＬＣＤ等であり、画像の表示や操作補助のための表示、撮像装置の状態表示を行う他、撮影時には撮影画面と焦点検出領域を表す指標などを表示する。
【００２７】
操作部１１７は、例えば、撮影モードや露出補正、絞り値の設定の他、画像再生時の設定等の各種設定を行うメニュースイッチ、撮影レンズのズーム動作を指示するズームレバー、撮影モードと再生モードの動作モード切換えスイッチ等を有する。ユーザは、操作部１１７を操作することにより撮像装置に各種の設定や指示を与える。
【００２８】
ストロボ１１８は、システム制御部１１４の指示により適切なタイミングと発光量で発光する。第１スイッチ（ＳＷ１）１１９は、ＡＥ処理やＡＦ処理等の撮影準備動作を行うためのスイッチであり、第２スイッチ（ＳＷ２）１２０は、第１スイッチ１１９の操作後に、システム制御部１１４に対して撮影開始指示を行うスイッチである。
【００２９】
（２  撮像装置の露出制御  ）
以上の構成において、NDフィルター１０２及びAE処理部１０５は、撮像装置１０の第１露出調節手段を構成しており、また、虹彩絞り１０３及びAE処理部１０５は、撮像装置１０の第２露出調節手段を構成している。メカシャッタ１０４及びAE処理部１０５は、撮像装置１０の第３露出調節手段を構成しており、また、Ａ／Ｄ変換部１０９は画像信号のアンプゲインの調節によって撮像装置１０の第４の露出調節手段を構成している。そして、システム制御部１１４は本発明の露出制御方法に従って、これらの第１露出調節手段、第２露出調節手段、第３露出調節手段及び第４露出調節手段を制御することにより、撮像装置１０の露出制御を行う。
【００３０】
撮像装置１０の目標露出値は、被写体の明るさに応じて決まるものであり、そのためAE制御部１０５は、被写体の明るさに応じて第１露出調節手段、第２露出調節手段、第３露出調節手段及び第４露出調節手段を制御する。そして、各々の露出調節手段による露出制御によって決まる露出量の合計が撮像装置１０の全体としての露出量になる。
【００３１】
撮像装置１０には、目標露出値を得るために第１露出調節手段、第２露出調節手段、第３露出調節手段及び第４露出調節手段の各々の露出量をいかなる値に制御すべきかを定義したプログラム線図のデータが記憶されている。
【００３２】
（３ プログラム線図  ）
係るプログラム線図として、Tv優先モード(使用者が撮影時のシャッタースピードを指定して撮影するモード)において使用者が任意のISO感度を設定して撮影する場合の第１プログラム線図及び第２プログラム線図の２つのプログラム線図データが記憶されており、AE処理部１０５は、それら２つのプログラム線図のうちから条件に応じて１つのプログラム線図を選択し、その選択したプログラム線図に従って各々の露出調節手段を制御する。
【００３３】
図２に第１プログラム線図及び第２プログラム線図の内容をグラフの形で示した。尚、説明及び理解を容易にするため、ここでは露光時間(シャッタースピード)及びISO感度は使用者が設定した任意の値とし、NDフィルターの挿抜状態と絞りによるF値の関係を示している。図２のグラフにおいて、横軸は第１露出調節手段に発生させる露出量を示しており、NDフィルターが抜去された状態(ND OFF)と挿入された状態(ND ON)の二値を示し、NDフィルターが挿入された状態の方が露光量としては小さくなる。縦軸は第２露出調節手段に発生させる露出量を示しており、上へ行くほど虹彩絞り羽根が閉じている(F値が大きい(暗い))ことを示し、露光量としては小さくなる。また、図２(a)における小絞りF値(虹彩絞りを限界まで閉じた時のF値)はF16であり、開放F値(虹彩絞りを限界まで開いた時のF値)はF1.4を示し、図２(b)における小絞りF値はF16であり、開放F値はF4.6を示している。斜軸は第１露出調節手段及び第２露出調節手段を制御することで発生させる合計露出量(EV = ExposureValue)を示し、右上へ行くほど露光量としては小さくなる。
【００３４】
図２(a)の例で説明すると、被写体輝度(以下、被写体輝度)が高い(明るい)範囲では、NDフィルターを抜去(OFF)した状態のまま、被写体輝度が低く(暗く)なるに従って虹彩絞りを絞っていき、虹彩絞りで３EV分露出量を減衰させたタイミング(F４になったタイミング)でNDフィルターを挿入(ON)し、虹彩絞りを開放まで開く。さらに被写体輝度が低くなると、それに従って虹彩絞りを小絞り(F１１)まで絞っていく線図となっている。
（４ 静止画記録処理シーケンス  ）
図３は図１に示した撮像装置の、静止画記録モードにおける処理動作を説明するためのフローチャートである。尚、静止画記録モードにおいては、静止画撮影を連続的に行い、撮影された動画を表示部１１６で表示することで、いわゆるライブビュー機能を実現しても良い。
【００３５】
以下、本実施形態における静止画記録シーケンスの一連の処理を図３を用いて説明する。図３のフローチャートに対応する処理は、システム制御部１１４が、例えばROMに記憶されている処理プログラムを読み出し、RAMに展開して実行することにより実現することができる。
【００３６】
システム制御部１１４は、スイッチSW1 １１９がONしているか否かを判断し(S３０１)、ONしていれば処理をS３０２へ進め、ONしていなければS３０１の処理を繰り返し実行する。
【００３７】
S３０２においてシステム制御部１１４は測光処理を行い、被写体輝度を算出する。被写体輝度値は、Ａ／Ｄ変換部１０９から出力された画像データ(デジタル信号)の輝度信号と、用いられた露出条件とから算出される。
【００３８】
測光処理が終わるとS３０３でシステム制御部１１４は、S３０２で算出した被写体輝度に基づき、焦点検出用の露出を決定し、決定した焦点検出用露出に制御する。焦点検出用の露出の決定には焦点検出用のプログラム線図を用い、被写体深度が浅くなるようなるべく開放付近の絞りを用いるようにする。
【００３９】
S３０４でシステム制御部１１４は、焦点検出用の露出条件で撮影された画像データに基づいて焦点検出処理を行う。具体的には、システム制御部１１４はAF処理部１０７を制御してフォーカスレンズ１０６を移動させながら撮影を行い、Ａ／Ｄ変換部１０９から出力される画像データ(デジタル信号)のコントラストを示すAF評価値を求める。そして、AF制御部１０７はAF評価値が極大となるフォーカスレンズ位置を合焦位置をする。尚、ここではコントラスト検出方式の焦点検出を行うものとしたが、位相差検出方式の焦点検出を行っても良い。
【００４０】
S３０５でシステム制御部１１４は、AF制御部１０７を制御して、フォーカスレンズをS３０４で算出した合焦位置へ移動させる。
【００４１】
S３０６でシステム制御部１１４は、現在設定されている撮影モードがシャッタースピード優先モード(以下、Tv優先モード)であるかどうか判定する。Tv優先モードが設定されている場合、システム制御部１１４は処理をS３０７へ進め、それ以外のモードが設定されている場合は処理をS３０９へ進める。
【００４２】
S３０７でシステム制御部１１４は、現在ユーザによって撮影時のISO感度が設定されているかどうか判定する。任意のISO感度が設定されている場合、システム制御部１１４は処理をS３０８へ進め、自動ISO感度決定モード(Auto)が設定されている場合は、処理をS３０９へ進める。
【００４３】
S３０８及びS３０９でシステム制御部１１４は、AE処理部１０５を制御して、静止画撮影(本撮影)時の露出条件を決定し、その後、処理をS３１０へ進める。
【００４４】
S３１０でシステム制御部１１４は、S３０３で焦点検出用に設定した露出を本撮影用の露出に変更する。スイッチSW２ １２０がONになってから本撮影が実行されるまでのタイムラグを削減する為、システム制御部１１４はAE処理部１０５を制御して、この時点で虹彩絞り１０３をS３０８またはS３０９で決定した露出条件の絞り値に制御しておく。
【００４５】
S３１１でシステム制御部１１４は、スイッチSW２ １２０がONしているか否かを判断し、OFFの場合はS３１２へ、ONの場合はS３１３へ処理を進める。
【００４６】
S３１２でシステム制御部１１４はスイッチSW１ １１９がONしているか否かを判断し、ONの場合はS３１１へ処理を進め、OFFの場合はS３０１へ処理を戻す。つまり、スイッチSW１ １１９がON、スイッチSW2 １２０がOFFの間、システム制御部１１４はS３１１〜S３１２の処理を繰り返し実行する。
【００４７】
スイッチSW2 １２０がONになり、本撮影開始指示が与えられると、システム制御部１１４はS３１３において、AE処理部１０５を制御してS３０８またはS３０９で決定した露出条件に制御し、続いて本露光(S３１４)を行う。
【００４８】
S３１５でシステム制御部１１４は、S３１４の本露光にて得られた画像データについて画像処理部１１０で現像処理やフォーマット変換部１１１で符号化処理など、記録形式に従った処理を適用し、画像データファイルを生成する。
そして、S３１６でシステム制御部１１４は、画像記録部１１３を用いて画像データファイルを半導体メモリカード等の記録媒体に記録する。
（５ 露出条件の算出  ）
図４は図３に示したフローチャートの、「Tv優先モード & ISO感度指定用 露出条件決定」(S308)処理動作の詳細を説明するためのフローチャートである。
【００４９】
以下、本実施形態における「Tv優先モード & ISO感度指定用 露出条件決定」処理を図４を用いて説明する。図４のフローチャートに対応する処理は、システム制御部１１４が、例えばROMに記憶されている処理プログラムを読み出し、RAMに展開して実行することにより実現することができる。
【００５０】
S４０１においてシステム制御部１１４は、AE処理部１０５を制御して、現在のデジタルカメラの状態における虹彩絞り１０３の開放F値を取得し、その後、処理をS４０２へ進める。
【００５１】
S４０２においてシステム制御部１１４は、AE処理部１０５を制御して、虹彩絞り１０３を開放から小絞りまで駆動させた際に生じる露出変化量が、NDフィルター１０２を挿抜駆動させた際に生じる露出変化量よりも大きいか否かを判断し、大きい場合はS４０３へ処理を進め、小さい場合はS４０４へ処理を進める。
【００５２】
S４０３及びS４０４においてシステム制御部１１４は、AE処理部１０５を制御して、それぞれ図２(a)、図２(b)に示すプログラム線図を用いて露出条件を決定する。
【００５３】
ここで例えば、図２に示すプログラム線図におけるNDフィルター１０２の挿抜駆動によって生じる露出変化量は３EVである。図２(a)のプログラム線図は虹彩絞り１０３を開放から小絞りまで駆動させた際に生じる露出変化量(F１．４〜F１１)が６EVである場合のプログラム線図である。また、図２(b)のプログラム線図は、ズーム動作等により、絞り開放F値が大きく(暗く)なるなど、虹彩絞り１０３を開放から小絞りまで駆動させた際に生じる露出変化量(F４．６〜F１１)が２．５EVである場合のプログラム線図である。
【００５４】
ここで本実施形態の効果の理解を助けるため、虹彩絞り１０３を開放から小絞りまで駆動させた際に生じる露出変化量が、NDフィルター１０２を挿抜駆動させた際に生じる露出変化量よりも小さい場合にNDフィルター１０２も併用して露出量を調節しようとした場合のプログラム線図の例を示す。図２(c)に示すプログラム線図では、虹彩絞り１０３を開放から小絞りまで駆動させた際に生じる露出変化量が、NDフィルター１０２を挿抜駆動させた際に生じる露出変化量よりも小さいため、図２(c)のPの区間(点線で示されている領域)のEV分の露出量を確保することができない。このような場合、一部の被写体輝度を持つシーンにおいて、適正な露出量で露光することができなくなってしまう。
【００５５】
一方、本実施形態ではS４０２にて虹彩絞り１０３を開放から小絞りまで駆動させた際に生じる露出変化量が、NDフィルター１０２を挿抜駆動させた際に生じる露出変化量よりも大きいか否かを判断し、大きい場合のみNDフィルター１０２も併用して露出条件を決定する図２(a)に示すプログラム線図を用いている為、Pのような区間が存在することはない。
【００５６】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００５７】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。その場合、プログラムの機能を有していれば、オブジェクトコード、インタプリタにより実行されるプログラム、ＯＳに供給するスクリプトデータ等、プログラムの形態を問わない。プログラムを供給するための記録媒体としては、例えば、ハードディスク、磁気テープ等の磁気記録媒体、光／光磁気記憶媒体、不揮発性の半導体メモリでもよい。
【００５８】
また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【符号の説明】
【００５９】
１０１  撮影レンズ、１０２  NDフィルター、１０３  虹彩絞り、
１０４  メカシャッタ、１０５  処理部
【図１】
2017009952.tif 000003
【図２】
2017009952.tif 000004
【図３】
2017009952.tif 000005
【図４】
2017009952.tif 000006